(57)【特許請求の範囲】
【請求項１】
課金方法であって、
移動性管理ネットワーク要素は、ユーザのサブスクリプションデータネットワーク要素から端末の課金ポリシー情報を取得することと、
アクセスネットワーク要素は、前記移動性管理ネットワーク要素から前記端末の課金ポリシー情報を取得することと、
前記アクセスネットワーク要素は、前記端末の課金ポリシー情報を記憶し、且つ前記課金ポリシー情報に応じて前記端末の業務に対して課金を行うこととを含み、
ここで、前記移動性管理ネットワーク要素が前記ユーザのサブスクリプションデータネットワーク要素から端末の課金ポリシー情報を取得することは、
前記移動性管理ネットワーク要素が前記ユーザのサブスクリプションデータネットワーク要素との間では安全認証を行い、認証が成功した後、前記移動性管理ネットワーク要素がアップデート位置メッセージを前記ユーザのサブスクリプションデータネットワーク要素に発信し、前記アップデート位置メッセージに前記端末の標識を携え、且つ前記端末の課金ポリシー情報を要求するステップと、
前記ユーザのサブスクリプションデータネットワーク要素が、記憶した課金ポリシー情報において前記端末の課金ポリシー情報を探し、且つ前記移動性管理ネットワーク要素に、前記課金ポリシー情報を携える応答メッセージを返すステップとを含む課金方法。
【請求項２】
前記アクセスネットワーク要素は、無線側ネットワーク要素、ホーム基地局ゲートウェイ及びローカルゲートウェイの中の1種又は多種であり、
前記移動性管理ネットワーク要素は、移動性管理エンティティ(MME)、モバイルスイッチングセンター及びユニバーサルパケット無線業務サービスサポートノード(SGSN)の中の1種であり、及び
前記ユーザのサブスクリプションデータネットワーク要素は、ホーム加入者サーバ(HSS)、サブスクリプションプロファイルリポジトリ(SPR)及びホーム位置レジスタ(HLR)の中の1種である請求項1に記載の方法。
【請求項３】
移動性管理ネットワーク要素が端末の課金ポリシー情報を取得するステップの前に、さらに、
移動性管理ネットワーク要素がアクセスネットワーク要素により起動された付着要求を受信した時、前記付着要求から前記アクセスネットワーク要素に付着要求を起動する端末の標識を取得することと、
移動性管理ネットワーク要素が端末の課金ポリシー情報を取得するステップにおいて、前記移動性管理ネットワーク要素は、前記標識に対応する課金ポリシー情報を取得することとを含む請求項1又は2に記載の方法。
【請求項４】
前記アクセスネットワーク要素が、無線側ネットワーク要素とローカルゲートウェイとを含み、且つ無線側ネットワーク要素とローカルゲートウェイとが別々に配置されるとき、前記ローカルゲートウェイが、前記端末の課金ポリシー情報を受信して記憶し、且つ前記課金ポリシー情報に応じて前記端末の業務に対して課金を行い、そのうち、前記ローカルネットワークゲートウェイがデータ分配機能エンティティである請求項2に記載の方法。
【請求項５】
課金ポリシー情報がアップデートされた時、前記移動性管理ネットワーク要素が前記アクセスネットワーク要素にアップデート要求メッセージを発信し、前記アップデート要求メッセージにおいてアップデートした課金ポリシー情報と前記アップデートした課金ポリシー情報に対応する端末の標識とを携えることと、
前記アクセスネットワーク要素が前記アップデート要求メッセージを受信した後、前記アップデートした課金ポリシー情報でローカルに記憶する前記端末の課金ポリシー情報をアップデートすることとをさらに含む請求項1に記載の方法。
【請求項６】
ある端末が前記アクセスネットワーク要素から離れる時、前記移動性管理ネットワーク要素は離れた端末の課金ポリシー情報を削除するよう前記アクセスネットワーク要素に通知することと、
前記アクセスネットワーク要素が前記移動性管理ネットワーク要素の通知に基づいて、前記離れた端末の課金ポリシー情報を削除することとをさらに含む請求項1に記載の方法。
【請求項７】
前記課金ポリシー情報は、
オフライン課金情報、オンライン課金情報、課金粒度及び課金レートの中の1種又は多種である請求項1に記載の方法。
【請求項８】
前記無線側ネットワーク要素は、基地局、ホーム基地局及び無線ネットワーク制御装置(RNC)の中の1種又は多種であり、及び
前記ローカルゲートウェイは、ローカルサービングゲートウェイ(L-SGW)、ローカルパケットデータネットワークゲートウェイ(L-PGW)及びデータ分配機能エンティティの中の1種又は多種である請求項2に記載の方法。
【請求項９】
課金システムであって、アクセスネットワーク要素、移動性管理ネットワーク要素及びユーザのサブスクリプションデータネットワーク要素を含み、その中、
前記ユーザのサブスクリプションデータネットワーク要素は、端末の課金ポリシー情報を記憶するように設置され、
前記移動性管理ネットワーク要素は、前記ユーザのサブスクリプションデータネットワーク要素の中から端末の課金ポリシー情報を取得し、及び前記アクセスネットワーク要素に取得した課金ポリシー情報を発信するように設置され、及び
前記アクセスネットワーク要素は、前記移動性管理ネットワーク要素から前記端末の課金ポリシー情報を取得し、且つ前記端末の課金ポリシー情報を記憶し、及び前記課金ポリシー情報に応じて前記端末の業務に対して課金を行うように設置され、
ここで、前記移動性管理ネットワーク要素はさらに、前記移動性管理ネットワーク要素が前記ユーザのサブスクリプションデータネットワーク要素との間で安全認証を行い、認証が成功した後、アップデート位置メッセージを前記ユーザのサブスクリプションデータネットワーク要素に発信し、前記アップデート位置メッセージの中に前記端末の標識を携え、且つ前記標識に対応する課金ポリシー情報を要求する，の方式に応じて前記ユーザのサブスクリプションデータネットワーク要素の中から前記端末の課金ポリシー情報を取得するように設置され、
前記ユーザのサブスクリプションデータネットワーク要素はさらに、前記移動性管理ネットワーク要素と安全認証を行い、及び、認証が成功した後、記憶した課金ポリシー情報の中で前記標識に対応する課金ポリシー情報を探すように設置される課金システム。
【請求項１０】
前記アクセスネットワーク要素は、無線側ネットワーク要素、ホーム基地局ゲートウェイ及びローカルゲートウェイの中の1種又は多種であり、
前記移動性管理ネットワーク要素は、移動性管理エンティティ(MME)、モバイルスイッチングセンター及びユニバーサルパケット業務サービスサポートノード(SGSN)の中の1種であり、
前記ユーザのサブスクリプションデータネットワーク要素は、ホーム加入者サーバ(HSS)、サブスクリプションプロファイルリポジトリ(SPR)及びホーム位置レジスタ(HLR)の中の1種であり、及び
前記課金ポリシー情報は、オフライン課金情報、オンライン課金情報、課金粒度、課金レートの中の1種又は多種である請求項9に記載の課金システム。
【請求項１１】
前記アクセスネットワーク要素は、さらに、前記端末により起動された付着要求を受信し、且つ前記移動性管理ネットワーク要素に前記付着要求を発信するように設置され、及び
前記移動性管理ネットワーク要素は、さらに、前記アクセスネットワーク要素により起動された付着要求を受信した時、前記付着要求の中から、前記アクセスネットワーク要素に付着要求を起動する端末の標識を取得し、そして、ユーザのサブスクリプションデータネットワーク要素の中から前記標識に対応する課金ポリシー情報を取得するように設置される請求項9又は10に記載の課金システム。
【請求項１２】
前記移動性管理ネットワーク要素はさらに、課金ポリシー情報がアップデートした時、前記アクセスネットワーク要素にアップデート要求メッセージを発信し、前記アップデート要求メッセージの中に、アップデートした課金ポリシー情報と前記アップデートした課金ポリシー情報に対応する端末の標識とを携えるように設置され、
前記アクセスネットワーク要素はさらに、前記アップデート要求メッセージを受信した後、前記アップデートした課金ポリシー情報でローカルに記憶した端末の課金ポリシー情報をアップデートするように設置される請求項9又は10に記載の課金システム。
【請求項１３】
前記移動性管理ネットワーク要素は、さらに、ある端末が前記アクセスネットワーク要素から離れる時、離れた端末の課金ポリシー情報を削除するよう前記アクセスネットワーク要素に通知するように設置され、
前記アクセスネットワーク要素はさらに、前記移動性管理ネットワーク要素の通知に基づいて、前記離れた端末の課金ポリシー情報を削除するように設置される請求項9又は10に記載の課金システム。
【請求項１４】
前記無線側ネットワーク要素は、基地局、ホーム基地局及び無線ネットワーク制御装置(RNC)の中の1種又は多種であり、
前記ローカルゲートウェイは、ローカルサービングゲートウェイ(L-SGW)、ローカルパケットデータネットワークゲートウェイ(L-PGW)及びデータ分配機能エンティティの中の1種又は多種である請求項10に記載の課金システム。
【請求項１５】
取得モジュール、メモリモジュール及び課金モジュールを含むアクセスネットワーク要素であって、
前記取得モジュールは、移動性管理ネットワーク要素から、前記移動性管理ネットワーク要素がユーザのサブスクリプションデータネットワーク要素から取得した端末の課金ポリシー情報を取得するように設置され、
前記メモリモジュールは、前記取得モジュールにより取得された端末の課金ポリシー情報を記憶するように設置され、及び
前記課金モジュールは、前記メモリモジュールによりメモリされた課金ポリシー情報に応じて前記端末の業務に対して課金を行うように設置され、
前記移動性管理ネットワーク要素は、前記移動性管理ネットワーク要素が前記ユーザのサブスクリプションデータネットワーク要素との間で安全認証を行い、認証が成功した後、アップデート位置メッセージを前記ユーザのサブスクリプションデータネットワーク要素に発信し、前記アップデート位置メッセージの中に前記端末の標識を携え、且つ前記標識に対応する課金ポリシー情報を要求する，の方式に応じて前記ユーザのサブスクリプションデータネットワーク要素の中から前記端末の課金ポリシー情報を取得し、
前記ユーザのサブスクリプションデータネットワーク要素は、前記移動性管理ネットワーク要素と安全認証を行い、及び、認証が成功した後、記憶した課金ポリシー情報の中で前記標識に対応する課金ポリシー情報を探すアクセスネットワーク要素。
【請求項１６】
前記アクセスネットワーク要素は、無線側ネットワーク要素、ホーム基地局ゲートウェイ及びローカルゲートウェイの中の1種又は多種である請求項15に記載のアクセスネットワーク要素。
【請求項１７】
前記取得モジュールは、さらに、課金ポリシー情報がアップデートされた時に前記移動性管理ネットワーク要素により発信されたアップデート要求メッセージを受信し、且つ前記アップデート要求メッセージの中に携えるアップデートした課金ポリシー情報を取得するように設置され、及び
前記メモリモジュールは、さらに、前記アップデートした課金ポリシー情報でローカルに記憶した端末の課金ポリシー情報をアップデートするように設置される請求項15又は16に記載のアクセスネットワーク要素。
【請求項１８】
前記アクセスネットワーク要素は、さらに、
通知転送モジュールを含み、それは、ある端末が前記アクセスネットワーク要素から離れる時、移動性管理モジュールにより発信された、離れた端末の課金ポリシー情報を削除する通知を受信し、且つ前記メモリモジュールに前記離れた端末の課金ポリシー情報を削除する通知を転送するように設置され、及び
前記メモリモジュールは、さらに、離れた端末の課金ポリシー情報を削除する通知に基づいて、前記離れた端末の課金ポリシー情報を削除するように設置される請求項15又は16に記載のアクセスネットワーク要素。
【請求項１９】
前記無線側ネットワーク要素は、基地局、ホーム基地局及び無線ネットワーク制御装置(RNC)の中の1種又は多種であり、及び
前記ローカルゲートウェイは、ローカルサービングゲートウェイ(L-SGW)、ローカルパケットデータネットワークゲートウェイ(L-PGW)及びデータ分配機能エンティティの中の1種又は多種である請求項16に記載のアクセスネットワーク要素。
【請求項２０】
移動性管理ネットワーク要素であって、課金ポリシー情報取得モジュールと発信モジュールを含み、
前記課金ポリシー情報取得モジュールは、ユーザのサブスクリプションデータネットワーク要素の中から端末の課金ポリシー情報を取得するように設置され、及び
前記発信モジュールは、アクセスネットワーク要素に、取得した課金ポリシー情報を発信するように設置され、
それにより、前記アクセスネットワーク要素が前記移動性管理ネットワーク要素から前記端末の課金ポリシー情報を取得して記憶し、且つ前記課金ポリシー情報に応じて前記端末の業務に対して課金を行い、
前記課金ポリシー情報取得モジュールはさらに、
前記移動性管理ネットワーク要素が、ユーザのサブスクリプションデータネットワーク要素との間で安全認証を行い、認証が成功した後、アップデート位置メッセージを前記ユーザのサブスクリプションデータネットワーク要素に発信し、前記アップデート位置メッセージの中に前記標識を携えて、且つ前記端末の標識に対応する課金ポリシー情報を要求し、及び前記ユーザのサブスクリプションデータネットワーク要素により返した、前記標識に対応する課金ポリシー情報を受信する、の方式に応じて前記ユーザのサブスクリプションデータネットワーク要素の中から前記端末の課金ポリシー情報を取得するように設置される移動性管理ネットワーク要素。
【請求項２１】
前記移動性管理ネットワーク要素は、移動性管理エンティティ(MME)、モバイルスイッチングセンター及びユニバーサルパケット業務サービスサポートノード(SGSN)の中の1種である請求項20に記載の移動性管理ネットワーク要素。
【請求項２２】
前記課金ポリシー情報取得モジュールはさらに、前記アクセスネットワーク要素により発信された、端末により起動された付着要求を受信した時、前記付着要求の中から前記アクセスネットワーク要素に付着要求を起動する端末の標識を取得し、ユーザのサブスクリプションデータネットワーク要素の中から前記標識に対応する課金ポリシー情報を取得するように設置される請求項20又は21に記載の移動性管理ネットワーク要素。
【請求項２３】
前記課金ポリシー情報取得モジュールはさらに、課金ポリシー情報がアップデートした時に前記アクセスネットワーク要素にアップデート要求メッセージを発信し、前記アップデート要求メッセージの中に、アップデートした課金ポリシー情報と前記アップデートした課金ポリシー情報に対応する端末の標識とを携えるように設置され、
それにより、前記アクセスネットワーク要素が前記アップデートした課金ポリシー情報でローカルに記憶した端末の課金ポリシー情報をアップデートする請求項20又は21に記載の移動性管理ネットワーク要素。
【請求項２４】
前記課金ポリシー情報取得モジュールは、さらに、ある端末が前記アクセスネットワーク要素から離れる時、離れた端末の課金ポリシー情報を削除するよう前記アクセスネットワーク要素に通知するように設置され、
それにより、前記アクセスネットワーク要素が前記移動性管理ネットワーク要素の通知に基づいて、前記離れた端末の課金ポリシー情報を削除する請求項20又は21に記載の移動性管理ネットワーク要素。
【発明の詳細な説明】
【技術分野】
【０００１】
本発明は、移動通信分野に関し、具体的に、課金システム及び課金の方法に関する。
【背景技術】
【０００２】
第3世代パートナーシップ・プロジェクト(3rd Generation Partnership Project、3GPP)進化型パケットシステム(Evolved Packet System、EPS)は、進化型ユニバーサル移動体通信システム地上無線アクセスネットワーク(Evolved Universal Terrestrial Radio Access Network、E-UTRAN)、移動管理性エンティティ(Mobility Management Entity、MME)、サービングゲートウェイ(Serving Gateway、S-GW)、パケットデータネットワークゲートウェイ(Packet Data Network Gateway、P-GW又はPDN GW)、ホーム加入者サーバ(Home Subscriber Server、HSS)、3GPPの認証、認可、及び課金(Authentication、Authorization and Accounting、AAA)サーバ、ポリシーおよび課金ルール機能(Policy and Charging Rules Function、PCRF)エンティティ及び他のサポートノードからなる。
【０００３】
図1は、EPSのシステムアーキテクチャの模式図である。図1に示すように、移動性管理エンティティは、移動性管理、非アクセス層シグナリングの処理及びユーザ移動性管理コンテキストの管理などの制御面の関連作業を担当し、S-GWは、E-UTRANに接続するアクセスゲートウェイ機器であり、E-UTRANとP-GWとの間にデータを転送するとともに、ページング待ちデータに対してキャッシュメモリを行うことを担当し、P-GWは、EPSとパケットデータネットワーク(Packet Data Network、PDN)ネットワークとのボーダーゲートウェイであり、PDNのアクセス及びEPSとPDNとの間にデータを転送するなどの機能を担当し、S-GWとP-GWとは、いずれもコアネットワークゲートウェイであり、PCRFは、受信インターフェースRxによってキャリアインターネット・プロトコル(Internet Protocol、IP)業務ネットワークに接続し、業務情報を取得し、さらに、Gx、Gxa及びGxcインターフェースによってネットワークにおけるゲートウェイ機器に接続し、IPベアラの確立を起動することを担当し、業務データのサービスの品質(Quality of Service、QoS)を確保し、且つ課金制御を行う。
【０００４】
EPSは、非3GPPシステムとの相互接続をサポートし、非3GPPシステムとの相互接続がS2a、S2b及びS2cインターフェースによって実現され、P-GWは、3GPPと非3GPPシステムとの間のアンカーポイントとする。EPSのシステムアーキテクチャ図において、非3GPPシステムは、信頼できる非3GPP IPアクセスと信頼できない非3GPP IPアクセスとに分かれる。信頼できる非3GPP IPアクセスは、直接にS2aインターフェースによってP-GWに接続することができ、信頼できない非3GPP IPアクセスは、進化型パケットデータゲートウェイ(Evolved Packet Data Gateway、ePDG)を介してP-GWに接続する必要があり、ePDGとP-GWとの間のインターフェースがS2bであり、S2cは、ユーザ機器(User Equipment、UE)とP-GWとの間のユーザー面に関した制御及び移動性サポートを提供しており、それによりサポートされる移動性管理プロトコルが、デュアルスタックをサポートする移動IPv6(Moblie IPv6 Support for Dual Stack Hosts and Routers、DSMIPv6)である。
【０００５】
EPSシステムにおいて、ポリシーおよび課金施行機能(Policy and Charging Enforcement Function、PCEFと略称する)エンティティは、P-GWに存在され、PCRFとP-GWとの間がGxインターフェース(図1参照)によって情報を交換する。P-GWとS-GWとの間のインターフェースがPMIPv6に基づくとき、S-GWにおいてベアラ拘束およびイベント報告機能(Bearer Binding and Event Report Function、BBERF)エンティティを有することにより、業務データ流に対してQoS制御を行い、S-GWとPCRFとの間がGxcインターフェース(図1参照)によって情報を交換する。信頼できる非3GPPアクセスシステムによってアクセスするとき、信頼できる非3GPPアクセスゲートウェイにもBBERFが常駐されている。信頼できる非3GPPアクセスゲートウェイとPCRFとの間がGxaインターフェース(図1参照)によって情報を交換する。UEがローミングするとき、S9インターフェースは、ホームロケーションPCRFとローミングロケーションPCRFとのインターフェースとして、同時にUEに業務のアプリケーション機能(Application Function、AF)を提供し、Rxインターフェースによってポリシーと課金制御(Policy and Charging Control、PCC)ポリシーを策定するための業務情報をPCRFに発信する。3GPPにおいて、アクセスポイントネーム(Access Point Name、APN)によって対応のPDNネットワークを探し出すことができる。一般的にUEからPDNネットワークへの1つの接続を1つのIP接続アクセスネットワーク(IP Connectivity Access Network、IP-CAN)セッションと称する。IP-CANセッションを確立する過程中に、BBERFとPCEFとがそれぞれPCRFとDiameterセッションを確立し、これらのDiameterセッションによって、このIP-CANセッションを制御するポリシー課金情報とポリシーを制定するための情報などを伝送する。
【０００６】
ホーム基地局(Home eNodeB、H(e)NB)は、小型で、低パワーの基地局であり、家庭及び事務室などの室内場所に配置され、主な作用は、ユーザーにより高い業務レートを提供して高レートサービスを使用することによる費用を低下させるとともに、既存の分布式セルラー無線通信システムカバレッジの不足を補うものである。ホーム基地局は、実用的で、便利で、低パワー出力及びプラグアンドプレイなどのメリットを有する。ホーム基地局システムにおいて、ホーム基地局は、無線側ネットワーク要素である。
【０００７】
ローカルIPアクセス(Local IP Access、LIPA)は、図2に示すように、H(e)NB検討中で提案された技術である。LIPA技術を採用して、端末がユーザーのホームネットワーク中と商業用ネットワーク中のほかのIP機器或いはインターネット(Internetネットワーク)のローカルアクセスを実現することができ、このとき、データ流が再度キャリアにより配置されたコアネットワーク上で通り抜ける必要がない。ローカルIPアクセスの実現は、多種の接続確立方式を採用することができ、1つの接続を確立することによって同時にコアネットワークアクセス及びローカルIPのアクセス機能(図2aと図2bに示すように)を実現することができ、このとき、無線側ネットワーク要素或いはホーム基地局ゲートウェイにローカルゲートウェイの機能を増設する必要がなく、このうち、ローカルアクセスゲートウェイがローカルから外部ネットワーク(例えばinternet)にアクセスしたネットワークとし、アドレス配分、課金、パケットフィルタリング、ポリシー制御、データ分配機能、無線アクセスネットワークアプリケーション部(Radios Access Network Application Part、NAS又はRANAP)メッセージ解析、ネットワークアドレス変換(Network Address Translation、NAT)及びローカルIPアクセスポリシールートと施行などの機能を提供し、及び、ローカルゲートウェイを増設することによってローカルIPアクセス技術への強力なサポートを提供してもよく、ローカルゲートウェイが無線側ネットワーク要素と組合せて設置されることができる(図2cに示す)。ホーム基地局ゲートウェイが存在する場合に、ローカルゲートウェイは、ホーム基地局と組合せて設置されることができるだけでなく、ホーム基地局ゲートウェイと組合せて設置されることもできる(図2dに示す)。ローカルゲートウェイは、ローカルサービングゲートウェイ(Local Serving Gateway、L-SGW)とローカルパケットデータネットワークゲートウェイ(Local Packet Data Network(PDN) Gateway、L-PGW)であってもよく、単独のL-PGWであってもよく、データ分配機能エンティティであってもよい。それ以外に、ホーム基地局ゲートウェイは、ホーム基地局と組合せて設置されることができる。ユニバーサル地上無線アクセス・ネットワーク(Universal Terrestrial Radio Access Network、 UTRAN)システムについては、コアネットワークゲートウェイが、ユニバーサルパケット無線業務サービスサポートノード(Serving General Packet Radio Service(GPRS) Support Node、SGSN)、ゲートウェイGPRSサポートノード(Gateway GPRS Support Node、GGSN)であってもよい。ローカルゲートウェイは、ローカルGGSN(Local GGSN、L-GGSN)とローカルSGSN(Local SGSN、L-SGSN)であってもよく、単独のL-GGSNであってもよい。叙述の便宜のため、どちらの方式にかかわらず、LIPA接続を確立するときに関するネットワーク要素は、無線側ネットワーク要素、ホーム基地局ゲートウェイ及びローカルゲートウェイを含み、無線側ネットワーク要素、ホーム基地局ゲートウェイ及びローカルゲートウェイは、いずれも、UEがLIPA接続を確立するときに所在するネットワーク要素に属し、UEが所在するネットワーク要素と略称する。
【０００８】
データ流がコアネットワークのユーザー面通路を介する必要がなくなるため、コアネットワークのデータ流量負荷を低減させることができ、キャリアにより効果的な方式によってユーザーにサービスを提供させることができる上に、同時にユーザーエクスペリエンスを向上させる。
LIPAアーキテクチャにおいて、無線側ネットワーク要素とホーム基地局ゲートウェイに流れたデータ流に対して課金を行う必要があると、課金を実現する技術方案を提供する必要がある。
【発明の概要】
【発明が解決しようとする課題】
【０００９】
本発明が解決しようとする技術課題は、課金システム、課金方法及び相応なアクセスネットワーク要素と移動性管理ネットワーク要素を提供し、LIPAアーキテクチャにおいてアクセスネットワーク要素に課金ポリシー情報を発信し、課金を実現することができることにある。
【課題を解決するための手段】
【００１０】
前記課題を解決するために、本発明は、課金の方法を提供し、
移動性管理ネットワーク要素は、ユーザのサブスクリプションデータネットワーク要素の中から端末の課金ポリシー情報を取得することと、
アクセスネットワーク要素は、前記移動性管理ネットワーク要素から前記端末の課金ポリシー情報を取得することと、
前記アクセスネットワーク要素は、前記端末の課金ポリシー情報を記憶し、且つ前記課金ポリシー情報に応じて前記端末の業務に対して課金を行うこととを含む。
【００１１】
前記アクセスネットワーク要素は、無線側ネットワーク要素、ホーム基地局ゲートウェイ及びローカルゲートウェイの中の1種又は多種であり、
前記移動性管理ネットワーク要素は、移動性管理エンティティ(MME)、モバイルスイッチングセンター及びユニバーサルパケット無線業務サービスサポートノード(SGSN)の中の1種であり、
前記ユーザのサブスクリプションデータネットワーク要素は、ホーム加入者サーバ(HSS)又はサブスクリプションプロファイルリポジトリ(SPR)又はホーム位置レジスタ(HLR)の中の1種である。
【００１２】
前記方法は、移動性管理ネットワーク要素が端末の課金ポリシー情報を取得するステップの前に、さらに、移動性管理ネットワーク要素がアクセスネットワーク要素により起動された付着要求を受信した時、前記付着要求から前記アクセスネットワーク要素に付着要求を起動する端末の標識を取得することと、
前記アクセスネットワーク要素が、無線側ネットワーク要素とローカルゲートウェイを含み、且つ無線側ネットワーク要素とローカルゲートウェイとが別々に配置されるとき、前記ローカルゲートウェイが、前記端末の課金ポリシー情報を受信して記憶し、且つ前記課金ポリシー情報に応じて前記端末の業務に対して課金を行い、前記ローカルネットワーク要素がデータ分配機能エンティティであることを含む。
【００１３】
移動性管理ネットワーク要素が端末の課金ポリシー情報を取得するステップにおいて、前記移動性管理ネットワーク要素は、前記標識に対応する課金ポリシー情報を取得する。
【００１４】
前記方法は、さらに、課金ポリシー情報がアップデートしたと、前記移動性管理ネットワーク要素が前記アクセスネットワーク要素にアップデート要求メッセージを発信し、前記アップデート要求メッセージにアップデートした課金ポリシー情報と前記アップデートした課金ポリシー情報に対応する端末の標識とを携えていることと、
前記アクセスネットワーク要素が前記アップデート要求メッセージを受信した後、前記アップデートした課金ポリシー情報でローカルに記憶される前記端末の課金ポリシー情報をアップデートすることとを含む。
【００１５】
前記方法は、さらに、ある端末が前記アクセスネットワーク要素から離れる時、前記移動性管理ネットワーク要素は離れた端末の課金ポリシー情報を削除する前記アクセスネットワーク要素に通知することと、
前記アクセスネットワーク要素が前記移動性管理ネットワーク要素の通知に基づいて、前記離れた端末の課金ポリシー情報を削除することとを含む。
【００１６】
前記移動性管理ネットワーク要素がユーザのサブスクリプションデータネットワーク要素の中から端末の課金ポリシー情報を取得することは、具体的に、
前記移動性管理ネットワーク要素がユーザのサブスクリプションデータネットワーク要素との間で安全認証を行い、認証が成功した後、前記移動性管理ネットワーク要素がアップデート位置メッセージを前記ユーザのサブスクリプションデータネットワーク要素に発信し、前記アップデート位置メッセージの中に前記端末の標識を携えて、且つ前記端末標識に対応する課金ポリシー情報を要求するステップと、
前記ユーザのサブスクリプションデータネットワーク要素が記憶した課金ポリシー情報に前記端末の課金ポリシー情報を探し、且つ前記移動性管理ネットワーク要素に前記課金ポリシー情報を携えている応答メッセージを返すステップとを含む。
【００１７】
前記課金ポリシー情報は、
オフライン課金情報、オンライン課金情報、課金粒度及び課金費率の中の1種又は多種である。
【００１８】
前記無線側ネットワーク要素は、基地局、ホーム基地局及び無線ネットワーク制御装置(RNC)の中の1種又は多種であり、前記ローカルゲートウェイは、ローカルサービングゲートウェイ(L-SGW)、ローカルパケットデータネットワークゲートウェイ(L-PGW)及びデータ分配機能エンティティの中の1種又は多種である。
【００１９】
本発明は、課金システムを提供しており、アクセスネットワーク要素、移動性管理ネットワーク要素及びユーザのサブスクリプションデータネットワーク要素を含み、
前記ユーザのサブスクリプションデータネットワーク要素は、端末の課金ポリシー情報を記憶するように設置され、
前記移動性管理ネットワーク要素は、前記ユーザのサブスクリプションデータネットワーク要素から端末の課金ポリシー情報を取得し、及び前記アクセスネットワーク要素に取得した課金ポリシー情報を発信するように設置され、及び
前記アクセスネットワーク要素は、前記移動性管理ネットワーク要素から前記端末の課金ポリシー情報を取得して前記端末の課金ポリシー情報を記憶し、及び前記課金ポリシー情報に応じて前記端末の業務に対して課金を行うように設置される。
【００２０】
前記アクセスネットワーク要素は、無線側ネットワーク要素、ホーム基地局ゲートウェイ及びローカルゲートウェイの中の1種又は多種であり、
前記移動性管理ネットワーク要素は、移動性管理エンティティ(MME)、モバイルスイッチングセンター及びユニバーサルパケット業務サービスサポートノード(SGSN)の中の1種であり、
前記ユーザのサブスクリプションデータネットワーク要素は、ホーム加入者サーバ(HSS)又はサブスクリプションプロファイルリポジトリ(SPR)又はホーム位置レジスタ(HLR)の中の1種であり、及び
前記課金ポリシー情報は、オフライン課金情報、オンライン課金情報、課金粒度及び課金レートの中の1種又は多種である。
【００２１】
前記アクセスネットワーク要素は、さらに、前記端末により起動された付着要求を受信して前記移動性管理ネットワーク要素に前記付着要求を発信するように設置され、及び
前記移動性管理エンティティは、さらに、前記アクセスネットワーク要素により起動された付着要求を受信した時、前記付着要求から前記アクセスネットワーク要素に付着要求を起動する端末の標識を取得し、そして、ユーザのサブスクリプションデータネットワーク要素から前記標識に対応する課金ポリシー情報を取得するように設置される。
【００２２】
前記移動性管理ネットワーク要素は、さらに、課金ポリシー情報がアップデートした時、前記アクセスネットワーク要素にアップデート要求メッセージを発信し、前記アップデート要求メッセージに、アップデートした課金ポリシー情報と前記アップデートした課金ポリシー情報に対応する端末の標識とを携えるように設置され、
前記アクセスネットワーク要素は、さらに、前記アップデート要求メッセージを受信した後、前記アップデートした課金ポリシー情報でローカルに記憶した端末の課金ポリシー情報をアップデートするように設置される。
【００２３】
前記移動性管理エンティティは、さらに、ある端末が前記アクセスネットワーク要素から離れる時、前記アクセスネットワーク要素に知らせて離れた端末の課金ポリシー情報を削除するように設置され、
前記アクセスネットワーク要素は、さらに、前記移動性管理ネットワーク要素の通知に基づいて前記離れた端末の課金ポリシー情報を削除するように設置される。
【００２４】
前記移動性管理ネットワーク要素は、
前記移動性管理ネットワーク要素がユーザのサブスクリプションデータネットワーク要素との間で安全認証を行い、認証が成功した後、アップデート位置メッセージを前記ユーザのサブスクリプションデータネットワーク要素に発信し、前記アップデート位置メッセージの中に前記標識を携えて、且つ前記標識に対応する課金ポリシー情報を要求する、の方式に応じてユーザのサブスクリプションデータネットワーク要素の中から端末の課金ポリシー情報を取得するように設置され、
前記ユーザのサブスクリプションデータネットワーク要素は、前記移動性管理ネットワーク要素と安全認証を行い、及び、認証が成功した後、記憶した課金ポリシー情報の中で前記標識に対応する課金ポリシー情報を探すように設置される。
【００２５】
前記無線側ネットワーク要素は、基地局、ホーム基地局及び無線ネットワーク制御装置(RNC)の中の1種又は多種であり、前記ローカルゲートウェイは、ローカルサービングゲートウェイ(L-SGW)、ローカルパケットデータネットワークゲートウェイ(L-PGW)及びデータ分配機能エンティティの中の1種又は多種である。
【００２６】
本発明は、さらにアクセスネットワーク要素を提供しており、前記アクセスネットワーク要素は、取得モジュール、メモリモジュール及び課金モジュールを含み、
前記取得モジュールは、移動性管理ネットワーク要素から、前記移動性管理ネットワーク要素がホームユーザのサブスクリプションデータネットワーク要素から取得した端末の課金ポリシー情報を取得するように設置され、
前記メモリモジュールは、前記取得モジュールにより取得された端末の課金ポリシー情報を記憶するように設置され、及び
前記課金モジュールは、前記メモリモジュールにより記憶された課金ポリシー情報に応じて前記端末の業務に対して課金を行うように設置される。
【００２７】
前記アクセスネットワーク要素は、無線側ネットワーク要素、ホーム基地局ゲートウェイ及びローカルゲートウェイの中の1種又は多種である。
【００２８】
前記取得モジュールは、さらに、課金ポリシー情報がアップデートした時に前記移動性管理ネットワーク要素により発信されたアップデート要求メッセージを受信し、且つ前記アップデート要求メッセージに携えるアップデートした課金ポリシー情報を取得するように設置され、及び
前記メモリモジュールは、さらに、前記アップデートした課金ポリシー情報でローカルに記憶した端末の課金ポリシー情報をアップデートするように設置される。
【００２９】
前記アクセスネットワーク要素は、さらに、
通知転送モジュールを含み、それは、ある端末が前記アクセスネットワーク要素から離れる時、移動性管理モジュールにより発信された、離れた端末の課金ポリシー情報を削除する通知を受信し、且つ前記メモリモジュールに前記離れた端末の課金ポリシー情報を削除する通知を転送するように設置され、及び
前記メモリモジュールは、さらに、離れた端末の課金ポリシー情報を削除する通知に基づいて、前記離れた端末の課金ポリシー情報を削除するように設置される。
【００３０】
前記無線側ネットワーク要素は、基地局、ホーム基地局及び無線ネットワーク制御装置(RNC)の中の1種又は多種であり、前記ローカルゲートウェイは、ローカルサービングゲートウェイ(L-SGW)、ローカルパケットデータネットワークゲートウェイ(L-PGW)及びデータ分配機能エンティティの中の1種又は多種である。
【００３１】
本発明は、さらに、移動性管理ネットワーク要素を提供し、課金ポリシー情報取得モジュールと発信モジュールを含み、
前記課金ポリシー情報取得モジュールは、ユーザのサブスクリプションデータネットワーク要素から端末の課金ポリシー情報を取得するように設置され、及び
前記発信モジュールは、前記アクセスネットワーク要素に取得した課金ポリシー情報を発信するように設置され、
それにより、アクセスネットワーク要素が前記移動性管理ネットワーク要素から前記端末の課金ポリシー情報を取得して記憶し、且つ前記課金ポリシー情報に応じて前記端末の業務に対して課金を行う。
【００３２】
前記移動性管理ネットワーク要素は、移動性管理エンティティ(MME)、モバイルスイッチングセンター及びユニバーサルパケット業務サービスサポートノード(SGSN)の中の1種である。
【００３３】
前記課金ポリシー情報取得モジュールは、さらに、前記アクセスネットワーク要素により発信された、端末により起動された付着要求を受信した時、前記付着要求から前記アクセスネットワーク要素に付着要求を起動する端末の標識を取得し、ユーザのサブスクリプションデータネットワーク要素の中から前記標識に対応する課金ポリシー情報を取得するように設置される。
【００３４】
前記課金ポリシー情報取得モジュールはさらに、課金ポリシー情報がアップデートした時に前記アクセスネットワーク要素にアップデート要求メッセージを発信し、前記アップデート要求メッセージに、アップデートした課金ポリシー情報と前記アップデートした課金ポリシー情報に対応する端末の標識とを携えるように設置され、
それにより、前記アクセスネットワーク要素が前記アップデートした課金ポリシー情報でローカルに記憶した端末の課金ポリシー情報をアップデートする。
【００３５】
前記課金ポリシー情報取得モジュールは、さらに、ある端末が前記アクセスネットワーク要素から離れる時、前記アクセスネットワーク要素に知らせて、離れた端末の課金ポリシー情報を削除するように設置され、
それにより、前記アクセスネットワーク要素が前記移動性管理ネットワーク要素の通知に基づいて、前記離れた端末の課金ポリシー情報を削除する。
【００３６】
前記課金ポリシー情報取得モジュールは、前記移動性管理ネットワーク要素がユーザのサブスクリプションデータネットワーク要素との間で安全認証を行い、認証が成功した後、アップデート位置メッセージを前記ユーザのサブスクリプションデータネットワーク要素に発信し、前記アップデート位置メッセージの中に前記標識を携え、且つ前記標識に対応する課金ポリシー情報を要求する、の方式に応じてユーザのサブスクリプションデータネットワーク要素の中から端末の課金ポリシー情報を取得するように設置され、
前記ユーザのサブスクリプションデータネットワーク要素は、前記移動性管理ネットワーク要素と安全認証を行い、及び、認証が成功した後、記憶した課金ポリシー情報の中に前記標識に対応する課金ポリシー情報を探すように設置される。
【発明の効果】
【００３７】
本発明の技術方案は、LIPAアーキテクチャにおいて無線側ネットワーク要素に課金ポリシー情報を発信し、ユーザー或いは業務に基づく動的な課金を実現することができ、LTEネットワークと3Gネットワークを同時にカバーすることができる。
【図面の簡単な説明】
【００３８】
図面の説明は、本発明の更なる理解を提供するとともに、明細書の一部を構成し、本発明の実施例と一緒に本発明を解釈することに用いられるものであるが、本発明を制限するものではない。図面において、
【図１】EPSのシステムアーキテクチャの模式図
【図２】LIPA技術におけるデータ流模式図である。
【図２ａ】LIPA技術におけるデータ流模式図である。
【図２ｂ】LIPA技術におけるデータ流模式図である。
【図２ｃ】LIPA技術におけるデータ流模式図である。
【図２ｄ】LIPA技術におけるデータ流模式図である。
【図３】適用例1におけるフロー模式図
【図４】適用例2におけるフロー模式図
【図５】適用例3におけるフロー模式図
【図６】適用例4におけるフロー模式図
【図７】適用例5におけるフロー模式図
【図８】適用例6におけるフロー模式図
【図９】課金システム模式図1
【図１０】課金システム模式図2
【発明を実施するための形態】
【００３９】
次に、図面と具体的な実施例とを参照して本発明の前記技術方案についてさらに詳しく叙述し、それにより、本分野の技術者がよりよく本発明を理解して実施することができるが、挙げられた実施例が本発明を限定するものではない。
【００４０】
本発明の設計は、以下の思想を基づくものである。
【００４１】
LIPAアーキテクチャにおいて、無線側ネットワーク要素とホーム基地局ゲートウェイなどのアクセスネットワーク要素に流れたデータ流に対して課金を行う必要があると、アクセスネットワーク要素が課金ポリシー情報を取得する必要があり、本発明は、LIPAアーキテクチャにおいてどのようにアクセスネットワーク要素に課金ポリシー情報を取得させる技術方案を提出しており、LIPAアーキテクチャに動的な課金を行う実現基礎とする。
【００４２】
実施例1
課金システムが課金を行う方法であって、
移動性管理ネットワーク要素は、アクセスネットワーク要素(例えば、無線側ネットワーク要素)により起動された付着要求を受信した時、この付着要求の中から前記無線側ネットワーク要素に付着要求を起動する端末の標識を取得し、そして、ユーザのサブスクリプションデータネットワーク要素の中からこの標識に対応する課金ポリシー情報を取得することと、
前記移動性管理ネットワーク要素は、前記アクセスネットワーク要素に取得した課金ポリシー情報を発信することと、
前記アクセスネットワーク要素は、前記課金ポリシー情報を受信した後、それを前記端末に対応する課金ポリシー情報に記憶し、この課金ポリシー情報に応じて前記端末後続の業務に対して課金を行うこととを含む課金方法。
【００４３】
本実施例において、アクセスネットワーク要素は、無線側ネットワーク要素、ホーム基地局ゲートウェイ及びローカルゲートウェイの中の1種又は多種の組合であり、
前記無線側ネットワーク要素は、基地局、ホーム基地局及び無線ネットワーク制御装置(Radio Network Controller、RNC)などのいずれか1つ又はいくつかのものであり、
ローカルゲートウェイは、ローカルサービングゲートウェイ(L-SGW)、ローカルパケットデータネットワークゲートウェイ(L-PGW)及びデータ分配機能エンティティの中の1種又は多種である。
【００４４】
前記移動性管理ネットワーク要素は、移動管理エンティティ(Mobility Management Entity、MME)、モバイルスイッチングセンター(Mobile Switching Centre、MSC)及びGPRSサービスサポートノード(Serving GPRS Support Node、SGSN)などのいずれかの1つである。
【００４５】
前記ユーザのサブスクリプションデータネットワーク要素は、HSS、サブスクリプションプロファイルリポジトリ(Subscription Profile Repository、SPR)及びホーム位置レジスタ(HLR)の中の1種である。
【００４６】
本実施例において、前記ユーザのサブスクリプションデータネットワーク要素の中に、異なる標識に対応した課金ポリシー情報を記憶しており、前記ユーザのサブスクリプションデータネットワーク要素に記憶された課金ポリシー情報が異なる標識と一々対応でき、前記ユーザのサブスクリプションデータネットワーク要素が各標識に対応する課金ポリシー情報を探すことができ、前記ユーザのサブスクリプションデータネットワーク要素に記憶した課金ポリシー情報がユーザー群と対応してもよく、前記ユーザのサブスクリプションデータネットワーク要素が前記標識に基づいて、それが属するユーザー群を確認することができ、それにより、この標識に対応する課金ポリシー情報を得て、実際に応用するときにも、他の方式で記憶することを排除しない。
【００４７】
本実施例において、前記方法は、さらに、
課金ポリシー情報がアップデートした時、前記移動性管理ネットワーク要素は、前記アクセスネットワーク要素にアップデート要求メッセージを発信し、それにアップデートした課金ポリシー情報、及びこのアップデートした課金ポリシー情報に対応する端末の標識を携えていることと、
前記アクセスネットワーク要素は、前記アップデート要求メッセージを受信した後、前記アップデートした課金ポリシー情報でローカルに記憶した前記対応する端末の課金ポリシー情報をアップデートし、この対応する端末の後続業務に対してアップデートした課金ポリシー情報に応じて課金を行うこととを含んでもよく、
本実施例において、前記移動性管理ネットワーク要素が自体の配置に基づいて、課金ポリシー情報をアップデートしてもよく、前記ユーザのサブスクリプションデータネットワーク要素がユーザサブスクリプション情報又は配置に基づいて、課金ポリシー情報をアップデートしてもよく、前記移動性管理ネットワーク要素がユーザのサブスクリプションデータネットワーク要素の通知を受信した後、課金ポリシー情報をアップデートする。
【００４８】
本実施例において、前記方法は、さらに、
ある端末が前記アクセスネットワーク要素から離れる時、前記移動性管理ネットワーク要素は、この端末の課金ポリシー情報を削除するよう前記アクセスネットワーク要素に通知することと、
前記アクセスネットワーク要素は、前記移動性管理ネットワーク要素の通知に基づいて、相応の端末の課金ポリシー情報を削除することとを含んでもよい。
【００４９】
本実施例において、前記課金ポリシー情報は、
オフライン及び/又はオンライン課金情報、
課金粒度(流量及び/又はデュレイションを含む)、
課金レートなどの情報の中のいずれかの1種又は何種を含んでもよいが、それに限定しない。
実際に応用するとき、必要に応じて他の情報を含んでもよい。
【００５０】
本実施例において、前記移動性管理ネットワーク要素がユーザのサブスクリプションデータネットワーク要素の中からこの標識に対応する課金ポリシー情報を取得することは、具体的に、
前記移動性管理ネットワーク要素がユーザのサブスクリプションデータネットワーク要素との間では安全認証を行い、認証が成功した後、アップデート位置メッセージを前記ユーザのサブスクリプションデータネットワーク要素に発信し、このアップデート位置メッセージに前記標識を携えて、且つこの標識に対応する課金ポリシー情報を要求するステップと、
前記ユーザのサブスクリプションデータネットワーク要素が記憶された課金ポリシー情報において、前記標識に対応する課金ポリシー情報を探すとともに、応答メッセージに携えて前記移動性管理ネットワーク要素に返すステップとを含んでもよい。
【００５１】
相応的に、本発明は、さらに、アクセスネットワーク要素を提供しており、アクセスネットワーク要素は、
移動性管理ネットワーク要素から、前記移動性管理ネットワーク要素がユーザのサブスクリプションデータネットワーク要素により取得した端末の課金ポリシー情報を取得するように設置される取得モジュール、
前記取得モジュールにより取得された端末の課金ポリシー情報を記憶するように設置されるメモリモジュール、及び
メモリモジュールによりメモリした課金ポリシー情報に応じて前記端末の業務に対して課金を行うように設置される課金モジュールを含む。
【００５２】
取得モジュールは、さらに、課金ポリシー情報がアップデートした時、移動性管理ネットワーク要素により発信してきたアップデート要求メッセージを受信するとともに、アップデート要求メッセージに携えられたアップデートした課金ポリシー情報を取得するように設置され、及び
メモリモジュールは、さらに、アップデートした課金ポリシー情報でローカルに記憶した端末の課金ポリシー情報をアップデートするように設置される。
【００５３】
アクセスネットワーク要素は、さらに、
ある端末が前記アクセスネットワーク要素から離れる時、移動性管理モジュールにより発信してきた、離れた端末の課金ポリシー情報を削除する通知を受信するとともに、メモリモジュールに離れた端末の課金ポリシー情報を削除する通知を転送するように設置される通知転送するモジュール、及び
さらに、離れた端末の課金ポリシー情報を削除する通知に基づいて、前記離れた端末の課金ポリシー情報を削除するように設置されるメモリモジュールを含む。
【００５４】
アクセスネットワーク要素は、無線側ネットワーク要素、ホーム基地局ゲートウェイ及びローカルゲートウェイの中の1種又は多種の組合であり、
前記無線側ネットワーク要素は、基地局、ホーム基地局及び無線ネットワーク制御装置(Radio Network Controller、RNC)などのいずれか1つ又はいくつかのものであり、
ローカルゲートウェイは、ローカルサービングゲートウェイ(L-SGW)、ローカルパケットデータネットワークゲートウェイ(L-PGW)及びデータ分配機能エンティティの中の1種又は多種である。
【００５５】
本発明は、さらに、課金ポリシー情報取得モジュールと発信モジュールとを含む移動性管理ネットワーク要素を提供しており、
課金ポリシー情報取得モジュールは、ユーザのサブスクリプションデータネットワーク要素の中から端末の課金ポリシー情報を取得するように設置され、及び
発信モジュールは、アクセスネットワーク要素に取得した課金ポリシー情報を発信するように設置され、
アクセスネットワーク要素が移動性管理ネットワーク要素から前記端末の課金ポリシー情報を取得して記憶し、且つ課金ポリシー情報に応じて前記端末の業務に対して課金を行うようになる。
【００５６】
移動性管理ネットワーク要素は、移動性管理エンティティ(MME)、モバイルスイッチングセンター、ユニバーサルパケット業務サービスサポートノード(SGSN)の中の1種又は多種である。
【００５７】
課金ポリシー情報取得モジュールは、さらに、アクセスネットワーク要素により発信してきた、端末により起動された付着要求を受信した時、付着要求の中から前記アクセスネットワーク要素に付着要求を起動する端末の標識を取得し、ユーザのサブスクリプションデータネットワーク要素の中から標識に対応する課金ポリシー情報を取得するように設置される。
【００５８】
課金ポリシー情報取得モジュールは、さらに、課金ポリシー情報がアップデートされた時、アクセスネットワーク要素にアップデート要求メッセージを発信し、アップデート要求メッセージにおいて、アップデートした課金ポリシー情報とアップデートした課金ポリシー情報に対応する端末の標識とを携えているように設置され、
アクセスネットワーク要素がアップデートした課金ポリシー情報でローカルに記憶した端末の課金ポリシー情報をアップデートするようになる。
【００５９】
課金ポリシー情報取得モジュールは、さらに、ある端末がアクセスネットワーク要素から離れる時、アクセスネットワーク要素に知らせて離れた端末の課金ポリシー情報を削除するように設置され、
アクセスネットワーク要素が移動性管理ネットワーク要素の通知に基づいて、離れた端末の課金ポリシー情報を削除するようになる。
【００６０】
課金ポリシー情報取得モジュールは、以下のような方式に応じてユーザのサブスクリプションデータネットワーク要素の中から端末の課金ポリシー情報を取得するように設置されるものであり、移動性管理ネットワーク要素がユーザのサブスクリプションデータネットワーク要素との間では安全認証を行い、認証が成功した後、アップデート位置メッセージを前記ユーザのサブスクリプションデータネットワーク要素に発信し、前記アップデート位置メッセージの中に前記標識を携えて前記標識に対応する課金ポリシー情報を要求し、及びユーザのサブスクリプションデータネットワーク要素により発信された前記標識に対応する課金ポリシー情報を受信する。
【００６１】
次に、いくつかの適用例を用いて本実施例についてさらに説明する。
【００６２】
適用例1
本適用例において、前記無線側ネットワーク要素は、H(e)NBであり、移動性管理ネットワーク要素は、MMEである。
【００６３】
UEが進化型パケットコア(Evolved Packet Core、EPC)ネットワークに付着され、且つ安全認証を完成した後、MMEがユーザのサブスクリプションデータネットワーク要素の中からユーザサブスクリプションの課金ポリシー情報を取得し、その中で、オフライン及び/又はオンライン課金情報、課金粒度(流量及び/又はデュレイションを含む)及び課金レートなどの関係課金ポリシー情報を含む。
【００６４】
前記MMEは、この情報をH(e)NBに発信し、前記H(e)NBがメッセージを受信した後、取付を行い、このUEの後続業務に対して相応の課金を行う。
【００６５】
具体的なステップは、図3に示すように、
301  前記UEは、EPCネットワークに付着され、前記H(e)NBに付着要求を起動し、それに本UEの標識を携えており、
302  前記H(e)NBは、前記MMEに付着要求を発信し、それに前記UEの標識を携えており、
303  前記MMEは、前記UEのこのEPCネットワークにアクセスする合法性に対して、前記ユーザのサブスクリプションデータネットワーク要素に安全認証を起動する。
【００６６】
304  安全認証が合法した後、前記MMEは、前記ユーザのサブスクリプションデータネットワーク要素に位置アップデートメッセージを発信し、メッセージに前記UEの課金ポリシー情報への要求を含む。
【００６７】
305  前記ユーザのサブスクリプションデータネットワーク要素は、前記MMEに応答メッセージを返し、前記UEのユーザサブスクリプションの課金ポリシー情報を携え、その中で、オフライン及び/又はオンライン課金情報、課金粒度(流量及び/又はデュレイションを含む)、課金費率などの関係課金ポリシー情報を含む。
【００６８】
306  前記MMEは、前記H(e)NBに前記UEの課金ポリシー情報を発信し、その中で、オフライン及び/又はオンライン課金情報、課金粒度(流量及び/又はデュレイションを含む)、課金レートなどの関係課金ポリシー情報を含む。
【００６９】
307  無線側ネットワーク要素とローカルゲートウェイとが組合せて設置される場合、前記H(e)NBが受信した後、前記課金ポリシー情報を取り付け、前記UEの後続の業務に対して相応の課金を実現し、無線側ネットワーク要素とローカルゲートウェイとが別々に配置される場合、ローカルゲートウェイが無線側ネットワーク要素と移動性管理ネットワーク要素との間に配置され、ローカルゲートウェイが課金ポリシー情報を受信して記憶することができ、ローカルゲートウェイにより後続業務に対して相応の課金を実現する。ローカルゲートウェイは、このとき、データ分配機能エンティティであってもよい。
【００７０】
適用例2
本適用例において、前記無線側ネットワーク要素は、H(e)NBであり、移動性管理ネットワーク要素は、MMEである。
【００７１】
MMEは、ある或いは何か課金ポリシー情報が変化したことを知る(ユーザのサブスクリプションデータネットワーク要素からの通知であってもよく、主動的に問い合わせること又は他の方式によって知ってもよい)と、前記MMEは、H(e)NBにアップデート要求メッセージを発信し、このアップデート要求メッセージにアップデートした課金ポリシー情報を携え、その中で、オフライン及び/又はオンライン課金情報、課金粒度(流量及び/又はデュレイションを含む)、課金レートなどの関係課金ポリシー情報を含む。
【００７２】
前記H(e)NBは、前記アップデート要求メッセージを受信した後、前記MMEに応答メッセージを返し、且つアップデートした課金ポリシー情報を取り付け、後続業務に対して相応の課金を行う。
【００７３】
具体的なステップは、図4に示すように、
401  前記MMEは、ユーザサブスクリプションの関係課金ポリシーが変化したこと(ユーザのサブスクリプションデータネットワーク要素の通知からの恐れがある)を知り、
402  前記MMEは、前記H(e)NBにアップデート要求を発信し、アップデート要求メッセージにアップデートした課金ポリシー情報を携え、その中で、オフライン及び/又はオンライン課金情報、課金粒度(流量及び/又はデュレイションを含む)、課金レートなどの関係課金ポリシー情報を含み、且つこのアップデートした課金ポリシー情報に対応する端末の標識を携えており、
403  前記H(e)NBは、前記アップデート要求メッセージを受信した後、前記MMEに応答メッセージを返し、
404  前記H(e)NBは、前記アップデートした課金ポリシー情報を取り付け、このアップデートした課金ポリシー情報に応じてそれに対応する端末の後続業務に対して相応の課金を行う。
【００７４】
適用例3
本適用例において、前記無線側ネットワーク要素は、H(e)NBであり、移動性管理ネットワーク要素は、MMEである。
【００７５】
MMEは、あるUEがH(e)NBから離れること(例えば、基地局間の切り替えを発生すること或いはネットワークから離れるなどの場合)を知ると、前記MMEは、前記H(e)NBにこのUEに対応する課金ポリシー情報を削除することを知らせて、前記H(e)NBがメッセージを受信した後、ローカルに取り付けられた、このUEの課金ポリシー情報を削除し、前記MMEに応答メッセージを返す。
【００７６】
具体的なステップは、図5に示すように、
501  前記MMEは、あるUEが前記H(e)NBから離れること(例えば、基地局の間切り替えを発生すること或いはネットワークから離れるなどの場合)を知り、
502  前記MMEは、前記H(e)NBに、このUEの課金ポリシー情報を削除することを知らせて、
503  前記H(e)NBは、メッセージを受信した後、ローカルに取り付けられたこのUEの課金ポリシー情報を削除し、
504  前記H(e)NBは、前記MMEに応答メッセージを返す。
【００７７】
実施例2
課金システムであって、図9に示すように、
課金ポリシー情報を記憶するように設置されるユーザのサブスクリプションデータネットワーク要素、
前記無線側ネットワーク要素により起動された付着要求を受信したと、この付着要求から前記無線側ネットワーク要素に付着要求を起動する端末の標識を取得し、そいて、ユーザのサブスクリプションデータネットワーク要素からこの標識に対応する課金ポリシー情報を取得するとともに、前記無線側ネットワーク要素に発信するように設置される移動性管理ネットワーク要素、及び
無線側ネットワーク要素により起動された付着要求を受信し、且つ前記課金ポリシー情報を受信し、それを前記端末に対応する課金ポリシー情報に記憶し、及び前記端末の後続の業務に対してこの課金ポリシー情報に応じて相応の課金を行うように設置される無線側ネットワーク要素を含む。
【００７８】
本実施例において、前記移動性管理ネットワーク要素は、さらに、課金ポリシー情報がアップデートすると、前記無線側ネットワーク要素にアップデート要求メッセージを発信し、そのなかで、アップデートした課金ポリシー情報、及びこのアップデートした課金ポリシー情報に対応する端末の標識を携えしてるように設置され、
相応的に、前記無線側ネットワーク要素は、さらに、前記アップデート要求メッセージを受信し、アップデートした課金ポリシー情報でローカルに記憶した、対応する端末の課金ポリシー情報をアップデートし、この対応する端末の後続業務に対してアップデートした課金ポリシー情報に応じて課金を行うように設置される。
【００７９】
本実施例において、前記移動性管理ネットワークが自体の配置に基づいて課金ポリシー情報をアップデートしてもよく、前記ユーザのサブスクリプションデータネットワーク要素がユーザサブスクリプション情報又は配置に基づいて課金ポリシー情報をアップデートした後、前記移動性管理ネットワーク要素にアップデート課金ポリシー情報を知らせることがであってもよい。
【００８０】
本実施例において、前記移動性管理ネットワーク要素は、さらに、ある端末が前記無線側ネットワーク要素から離れる時、前記無線側ネットワーク要素に知らせて、この端末の課金ポリシー情報を削除するように設置され、
前記無線側ネットワーク要素は、さらに、前記移動性管理ネットワーク要素の通知に基づいて、端末に対して相応の課金ポリシー情報を削除するように設置される。
【００８１】
本実施例において、前記課金ポリシー情報は、
オフライン及び/又はオンライン課金情報、
課金粒度(流量及び/又はデュレイションを含む)、
課金レートなどの情報の中のいずれかの1種又は何種を含んでもよいが、それに限定しない。
実際に応用するとき、必要に応じて他の情報を含んでもよい。
【００８２】
本実施例において、前記移動性管理ネットワーク要素は、以下の方式に応じてユーザのサブスクリプションデータネットワーク要素からこの標識に対応する課金ポリシー情報を取得するように設置され、
前記移動性管理ネットワーク要素がユーザのサブスクリプションデータネットワーク要素との間では安全認証を行い、認証が成功した後、アップデート位置メッセージを前記ユーザのサブスクリプションデータネットワーク要素に発信し、このアップデート位置メッセージに前記標識を携えてこの標識に対応する課金ポリシー情報を要求し、及びユーザのサブスクリプションデータネットワーク要素により返された、この標識に対応する課金ポリシー情報を携えている応答メッセージを受信し、
前記ユーザのサブスクリプションデータネットワーク要素は、さらに、記憶した課金ポリシー情報から前記標識に対応する課金ポリシー情報を探すとともに、応答メッセージに携えて前記移動性管理ネットワーク要素に返すように設置される。
【００８３】
実施例3
課金システムが課金を行う方法であって、
移動性管理ネットワーク要素は、ローカルゲートウェイ及び/又はホーム基地局ゲートウェイにより起動された付着要求を受信した時、この付着要求から前記ローカルゲートウェイ及び/又はホーム基地局ゲートウェイに付着要求を起動する端末の標識を取得し、そして、ユーザのサブスクリプションデータネットワーク要素からこの標識に対応する課金ポリシー情報を取得ことと、
前記移動性管理ネットワーク要素は、前記ローカルゲートウェイ及び/又はホーム基地局ゲートウェイに取得した課金ポリシー情報を発信することと、
前記ローカルゲートウェイ及び/又はホーム基地局ゲートウェイは、前記課金ポリシー情報を受信した後、それを前記端末に対応する課金ポリシー情報に記憶し、前記端末の後続業務に対してこの課金ポリシー情報に応じて相応の課金を行うこととを含む。
【００８４】
本実施例において、前記ローカルゲートウェイ及び/又はホーム基地局ゲートウェイは、基地局、ホーム基地局、無線ネットワーク制御装置(Radio Network Controller、RNC)などのいずれかの1つ又はいくつを含み、
前記移動性管理ネットワーク要素は、移動管理エンティティ(Mobility Management Entity、MME)、モバイルスイッチングセンター(Mobile Switching Centre、MSC)、GPRSサービスサポートノード(Serving GPRS Support Node、SGSN)などのいずれかの1つ又はいくつを含む。
【００８５】
本実施例において、前記ユーザのサブスクリプションデータネットワーク要素に異なる標識に対応した課金ポリシー情報を記憶しており、前記ユーザのサブスクリプションデータネットワーク要素に記憶された課金ポリシー情報は、異なる標識と一々対応でき、前記ユーザのサブスクリプションデータネットワーク要素は、各標識に対応する課金ポリシー情報が探されたことができ、前記ユーザのサブスクリプションデータネットワーク要素に記憶した課金ポリシー情報は、ユーザー群にも対応でき、前記ユーザのサブスクリプションデータネットワーク要素が前記標識に基づいて、それが属するユーザー群を確認することができ、それにより、この標識に対応する課金ポリシー情報を得て、実際に応用するときに他の方式で記憶することを排除しない。
【００８６】
本実施例において、前記方法は、さらに、
課金ポリシー情報がアップデートすると、前記移動性管理ネットワーク要素は、前記ローカルゲートウェイ及び/又はホーム基地局ゲートウェイにアップデート要求メッセージを発信し、その中で、アップデートした課金ポリシー情報、及びこのアップデートした課金ポリシー情報に対応する端末の標識を携えていることと、
前記ローカルゲートウェイ及び/又はホーム基地局ゲートウェイは、前記アップデート要求メッセージを受信した後、前記アップデートした課金ポリシー情報でローカルに記憶した前記対応する端末の課金ポリシー情報をアップデートし、この対応する端末の後続業務に対してアップデートした課金ポリシー情報に応じて課金を行うこととを含んでもよく、
本実施例において、前記移動性管理ネットワーク要素が自体の配置に基づいて、課金ポリシー情報をアップデートしてもよく、前記ユーザのサブスクリプションデータネットワーク要素がユーザサブスクリプション情報又は配置に基づいて、課金ポリシー情報をアップデートし、前記移動性管理ネットワーク要素がユーザのサブスクリプションデータネットワーク要素の通知を受信した後、課金ポリシー情報をアップデートしてもよい。
【００８７】
本実施例において、前記方法は、さらに、
ある端末が前記ローカルゲートウェイ及び/又はホーム基地局ゲートウェイから離れると、前記移動性管理ネットワーク要素は、前記ローカルゲートウェイ及び/又はホーム基地局ゲートウェイに知らせてこの端末の課金ポリシー情報を削除することと、
前記ローカルゲートウェイ及び/又はホーム基地局ゲートウェイは、前記移動性管理ネットワーク要素の通知に基づいて端末に対して相応の課金ポリシー情報を削除することとを含んでもよい。
【００８８】
本実施例において、前記課金ポリシー情報は、
オフライン及び/又はオンライン課金情報、
課金粒度(流量及び/又はデュレイションを含む)、
課金レートなどの情報の中のいずれかの1種又は何種を含んでもよいが、それに限定しない。
実際に応用するとき、必要に応じて他の情報を含んでもよい。
【００８９】
本実施例において、前記移動性管理ネットワーク要素がユーザのサブスクリプションデータネットワーク要素からこの標識に対応する課金ポリシー情報を取得することは、具体的に、
前記移動性管理ネットワーク要素がユーザのサブスクリプションデータネットワーク要素との間では安全認証を行い、認証が成功した後、アップデート位置メッセージを前記ユーザのサブスクリプションデータネットワーク要素に発信し、このアップデート位置メッセージに前記標識を携え、且つこの標識に対応する課金ポリシー情報を要求するステップと、
前記ユーザのサブスクリプションデータネットワーク要素は、記憶した課金ポリシー情報において、前記標識に対応する課金ポリシー情報を探すとともに、応答メッセージに携えて前記移動性管理ネットワーク要素に返すステップとを含んでもよい。
【００９０】
次に、いくつかの適用例で本実施例についてさらに説明する。
【００９１】
適用例4
移動性管理ネットワーク要素は、MMEである。
【００９２】
UEが進化型パケットコア(Evolved Packet Core、EPC)ネットワークに付着されて安全認証を完成したと、MMEは、ユーザのサブスクリプションデータネットワーク要素からユーザサブスクリプションの課金ポリシー情報を取得し、その中で、オフライン及び/又はオンライン課金情報、課金粒度(流量及び/又はデュレイションを含む)、課金レートなどの関係課金ポリシー情報を含む。
【００９３】
ローカルゲートウェイ及び/又はホーム基地局ゲートウェイは、前記MMEにこの課金ポリシー情報を取得することを要求して、前記ローカルゲートウェイ及び/又はホーム基地局ゲートウェイは課金ポリシー情報を受信した後、取り付けを行い、このUEの後続業務に対して相応の課金を行う。
【００９４】
具体的なステップは、図6に示すように、
601  前記UEは、EPCネットワークに付着され、前記ローカルゲートウェイ及び/又はホーム基地局ゲートウェイに付着要求を発信し、その中で、本UEの標識を携えており、
602  前記ローカルゲートウェイ及び/又はホーム基地局ゲートウェイは、前記MMEに付着要求を発信し、それに前記UEの標識を携帯し、
603  前記MMEは、前記UEのこのEPCネットワークにアクセスする合法性に対して、前記ユーザのサブスクリプションデータネットワーク要素に安全認証を起動する。
【００９５】
604  安全認証が合法した後、前記MMEは、前記ユーザのサブスクリプションデータネットワーク要素に位置アップデートメッセージを起動し、メッセージに前記UEの課金ポリシー情報への要求を含む。
【００９６】
605  前記ユーザのサブスクリプションデータネットワーク要素は、前記MMEに応答メッセージを返し、前記UEのユーザサブスクリプションの課金ポリシー情報を携え、その中で、オフライン及び/又はオンライン課金情報、課金粒度(流量及び/又はデュレイションを含む)、課金レートなどの関係課金ポリシー情報を含む。
【００９７】
606  前記MMEは、前記ローカルゲートウェイ及び/又はホーム基地局ゲートウェイに前記UEの課金ポリシー情報を発信し、その中で、オフライン及び/又はオンライン課金情報、課金粒度(流量及び/又はデュレイションを含む)、課金レートなどの関係課金ポリシー情報を含む。
【００９８】
607  前記ローカルゲートウェイ及び/又はホーム基地局ゲートウェイは、受信した後、前記課金ポリシー情報を取り付け、前記UEの後続の業務に対して相応の課金を実現する。
【００９９】
適用例5
本適用例において、前記ローカルゲートウェイ及び/又はホーム基地局ゲートウェイは、ローカルゲートウェイ及び/又はホーム基地局ゲートウェイであり、移動性管理ネットワーク要素は、MMEである。
【０１００】
MMEは、ある或何か課金ポリシー情報が変化したこと(ユーザのサブスクリプションデータネットワーク要素からの通知であってもよく、自発的に問い合わせること或いは他の方式によって知ってもよい)を知ると、前記MMEは、ローカルゲートウェイ及び/又はホーム基地局ゲートウェイにアップデート要求メッセージを発信し、このアップデート要求メッセージにアップデートした課金ポリシー情報を携え、その中で、オフライン及び/又はオンライン課金情報、課金粒度(流量及び/又はデュレイションを含む)、課金レートなどの関係課金ポリシー情報を含む。
【０１０１】
前記ローカルゲートウェイ及び/又はホーム基地局ゲートウェイは、前記アップデート要求メッセージを受信した後、前記MMEに応答メッセージを返し、且つアップデートした課金ポリシー情報を取り付け、後続業務に対して相応の課金を行う。
【０１０２】
具体的なステップは、図7に示すように、
701  前記MMEは、ユーザサブスクリプションの関係課金ポリシーが変化したこと(ユーザのサブスクリプションデータネットワーク要素の通知からの恐れがある)を知り、
702  前記MMEは、前記ローカルゲートウェイ及び/又はホーム基地局ゲートウェイにアップデート要求を発信し、アップデート要求メッセージにアップデートした課金ポリシー情報を携え、その中で、オフライン及び/又はオンライン課金情報、課金粒度(流量及び/又はデュレイションを含む)、課金レートなどの関係課金ポリシー情報を含み、且つこのアップデートした課金ポリシー情報に対応する端末の標識を携えており、
703  前記ローカルゲートウェイ及び/又はホーム基地局ゲートウェイは、前記アップデート要求メッセージを受信した後、前記MMEに応答メッセージを返し、
704  前記ローカルゲートウェイ及び/又はホーム基地局ゲートウェイは、前記アップデートした課金ポリシー情報を取り付け、このアップデートした課金ポリシー情報に応じてそれに対応する端末の後続業務に対して相応の課金を行う。
【０１０３】
適用例6
本適用例において、前記ローカルゲートウェイ及び/又はホーム基地局ゲートウェイは、ローカルゲートウェイ及び/又はホーム基地局ゲートウェイであり、移動性管理ネットワーク要素は、MMEである。
【０１０４】
MMEは、あるUEがローカルゲートウェイ及び/又はホーム基地局ゲートウェイから離れること(例えば、基地局の間の取り替えを発生すること或いはネットワークから離れるなどの場合)を知ると、前記MMEは、前記ローカルゲートウェイ及び/又はホーム基地局ゲートウェイに知らせてこのUEに対応する課金ポリシー情報を削除し、前記ローカルゲートウェイ及び/又はホーム基地局ゲートウェイがメッセージを受信した後、ローカルに取り付けられたこのUEに対応する課金ポリシー情報を削除し、前記MMEに応答メッセージを返す。
【０１０５】
具体的なステップは、図8に示すように、
801  前記MMEは、あるUEが前記ローカルゲートウェイ及び/又はホーム基地局ゲートウェイから離れること(例えば、基地局の間の切り替えが発生すること或いはネットワークから離れるなどの場合)を知り、
802  前記MMEは、前記ローカルゲートウェイ及び/又はホーム基地局ゲートウェイに知らせてこのUEの課金ポリシー情報を削除し、
803  前記ローカルゲートウェイ及び/又はホーム基地局ゲートウェイは、メッセージを受信した後、ローカルに取り付けられたこのUEの課金ポリシー情報を削除し、
804  前記ローカルゲートウェイ及び/又はホーム基地局ゲートウェイは、前記MMEに応答メッセージを返す。
【０１０６】
実施例4
課金システムであって、図10に示すように、
課金ポリシー情報を記憶するように設置されるユーザのサブスクリプションデータネットワーク要素と、
ローカルゲートウェイ及び/又はホーム基地局ゲートウェイにより起動された付着要求を受信すると、この付着要求から前記ローカルゲートウェイ及び/又はホーム基地局ゲートウェイに付着要求を起動する端末の標識を取得し、そして、ユーザのサブスクリプションデータネットワーク要素からこの標識に対応する課金ポリシー情報を取得して、前記ローカルゲートウェイ及び/又はホーム基地局ゲートウェイに発信するように設置される移動性管理ネットワーク要素と、
移動性管理ネットワーク要素に付着要求を発信するとともに、前記課金ポリシー情報を受信し、それを前記端末に対応する課金ポリシー情報に記憶し、及び前記端末後続の業務に対してこの課金ポリシー情報に応じて相応の課金を行うように設置されるローカルゲートウェイ及び/又はホーム基地局ゲートウェイとを含む。
【０１０７】
本実施例において、前記移動性管理ネットワーク要素は、さらに、課金ポリシー情報がアップデートしたと、前記ローカルゲートウェイ及び/又はホーム基地局ゲートウェイにアップデート要求メッセージを発信し、その中にアップデートした課金ポリシー情報、及びこのアップデートした課金ポリシー情報に対応する端末の標識を携えるように設置されてもよく、
相応的に、前記ローカルゲートウェイ及び/又はホーム基地局ゲートウェイは、さらに、前記アップデート要求メッセージを受信した後、前記アップデートした課金ポリシー情報でローカルに記憶した、対応する端末の課金ポリシー情報をアップデートし、この対応する端末の後続業務に対してアップデートした課金ポリシー情報に応じて課金を行うように設置される。
【０１０８】
本実施例において、前記移動性管理ネットワーク要素は、自体の配置に基づいて課金ポリシー情報をアップデートするように設置されてもよく、前記ユーザのサブスクリプションデータネットワーク要素は、ユーザサブスクリプション情報又は配置に基づいて課金ポリシー情報をアップデートした後、前記移動性管理ネットワーク要素に知らせて課金ポリシー情報をアップデートするように設置される。
【０１０９】
本実施例において、前記移動性管理ネットワーク要素は、ある端末が前記ローカルゲートウェイ及び/又はホーム基地局ゲートウェイから離れると、前記ローカルゲートウェイ及び/又はホーム基地局ゲートウェイに知らせてこの端末の課金ポリシー情報を削除するように設置されてもよく、
前記ローカルゲートウェイ及び/又はホーム基地局ゲートウェイは、さらに、前記移動性管理ネットワーク要素の通知に基づいて端末に対して相応の課金ポリシー情報を削除するように設置される。
【０１１０】
本実施例において、前記課金ポリシー情報は、
オフライン及び/又はオンライン課金情報、
課金粒度(流量及び/又はデュレイションを含む)、
課金レートなどの情報の中のいずれかの1種又は何種を含んでもよいが、それに限定しない。
実際に応用するとき、必要に応じて他の情報を含んでもよい。
【０１１１】
本実施例において、前記移動性管理ネットワーク要素は、以下のような方式に応じてユーザのサブスクリプションデータネットワーク要素からこの標識に対応する課金ポリシー情報を取得するように設置され、
前記移動性管理ネットワーク要素がユーザのサブスクリプションデータネットワーク要素との間では安全認証を行い、認証が成功した後、アップデート位置メッセージを前記ユーザのサブスクリプションデータネットワーク要素に発信し、このアップデート位置メッセージに前記標識を携えてこの標識に対応する課金ポリシー情報を要求し、及び、前記ユーザのサブスクリプションデータネットワーク要素により返された、標識に対応する課金ポリシー情報を携えている応答メッセージを受信し、
前記ユーザのサブスクリプションデータネットワーク要素は、さらに、記憶された課金ポリシー情報には、前記標識に対応する課金ポリシー情報を探すとともに、応答メッセージに携えて前記移動性管理ネットワーク要素に返すように設置される。
【０１１２】
もちろん、本発明は、他の多種の実施例を有してもよく、本発明の精神及びその実質から逸脱することない場合に、当業者が本発明に基づいて、各種の相応の改良と変形をなすことができるが、これらの相応の改良と変形がいずれも本発明の請求項の保護範囲に属するようにする。
【産業上の利用可能性】
【０１１３】
本発明における技術方案は、LIPAアーキテクチャにおいて無線側ネットワーク要素に課金ポリシー情報を発信し、ユーザー又は業務に基づく動的な課金を実現することができ、LTEネットワークと3Gネットワークとを同時にカバーすることができるものである。
【図１】
0005499170.tif 000002
【図２】
0005499170.tif 000003
【図２ａ】
0005499170.tif 000004
【図２ｂ】
0005499170.tif 000005
【図２ｃ】
0005499170.tif 000006
【図２ｄ】
0005499170.tif 000007
【図３】
0005499170.tif 000008
【図４】
0005499170.tif 000009
【図５】
0005499170.tif 000010
【図６】
0005499170.tif 000011
【図７】
0005499170.tif 000012
【図８】
0005499170.tif 000013
【図９】
0005499170.tif 000014
【図１０】
0005499170.tif 000015